(57)【要約】【課題】光の利用効率の低下を抑止しつつ路面の照度を均一に近づける車両用灯具および路面描画システムの提供を目的とする。【解決手段】車両から路面に向けて光を照射する車両用灯具であって、車両の幅方向と直交する方向に配列された複数の光源と、複数の光源の発光量を個別に変更する発光量制御部と、光源から出射された光を変調して画像を形成する画像生成部と、画像を有する光を路面に投影する投影部と、を備え、複数の光源は、それぞれ路面上において車両の近傍から遠方に向かって並ぶ複数の配光領域を形成する、車両用灯具。【選択図】図２
2018192837.tif 000002
【特許請求の範囲】
【請求項１】
車両から路面に向けて光を照射する車両用灯具であって、
前記車両の幅方向と直交する方向に配列された複数の光源と、
複数の前記光源の発光量を個別に変更する発光量制御部と、
前記光源から出射された光を変調して画像を形成する画像生成部と、
前記画像を有する光を前記路面に投影する投影部と、を備え、
複数の前記光源は、それぞれ前記路面上において前記車両の近傍から遠方に向かって並ぶ複数の配光領域を形成する、
車両用灯具。
【請求項２】
前記発光量制御部は、複数の前記光源のうち前記車両の遠方側の配光領域を形成する前記光源の発光量を、前記車両の近傍側の配光領域を形成する前記光源の発光量よりも、高くする、
請求項１に記載の車両用灯具。
【請求項３】
前記投影部は、前記画像を有する光を反射して前記路面に投影する反射面を有し、
前記反射面は、投影方向後方側から投影方向前方側に向かうに従い徐々に曲率が大きくなる、
請求項１又は２に記載の車両用灯具。
【請求項４】
前記車両からの距離が互いに異なる領域に光を投影する複数の前記反射面と、
複数の前記反射面のうちの何れか１つを選択して切り替える切替部と、を備える、
請求項３に記載の車両用灯具。
【請求項５】
複数の前記光源から出射された光を拡散する拡散板を備える、
請求項１〜４の何れか一項に記載の車両用灯具。
【請求項６】
請求項１〜５の何れか一項に記載の車両用灯具と、
前記車両の前方の走行路を認識する走行路認識部と、を備え、
前記車両用灯具は、前記走行路認識部の認識結果に基づき前記路面に前記走行路を強調する描画を行う、
路面描画システム。
【発明の詳細な説明】
【技術分野】
【０００１】
本発明は、車両用灯具および路面描画システムに関する。
【背景技術】
【０００２】
従来、車両用灯具として、光のコントラストを利用して路面に情報を示す画像を表示する車両用灯具が提案されている。特許文献１では、反射型デジタル光偏向装置により形成された情報を路面に表示している。
【先行技術文献】
【特許文献】
【０００３】
【特許文献１】特許第４０５９０７９号公報
【発明の概要】
【発明が解決しようとする課題】
【０００４】
車両から路面上に向けて均一な光を投影すると、車両からの距離が離れるに従い路面に入射する光の光束密度が低下するため、路面の照度は、車両から離れるに従い低下する。路面の照度を均一に近づけるために、反射型デジタル光偏向装置によって車両近傍に向けて投影する光を弱めることが考えられる。しかしながらこの場合、光源から照射された光の利用効率が低下するため、車両灯具としてのエネルギ効率が悪いという問題があった。
【０００５】
本発明では、光の利用効率の低下を抑止しつつ路面の照度を均一に近づける車両用灯具および路面描画システムの提供を目的とする。
【課題を解決するための手段】
【０００６】
上記目的を達成するため、一態様の車両用灯具は、車両から路面に向けて光を照射する車両用灯具であって、前記車両の幅方向と直交する方向に配列された複数の光源と、複数の前記光源の発光量を個別に変更する発光量制御部と、前記光源から出射された光を変調して画像を形成する画像生成部と、前記画像を有する光を前記路面に投影する投影部と、を備え、複数の前記光源は、それぞれ前記路面上において前記車両の近傍から遠方に向かって並ぶ複数の配光領域を形成する。
【０００７】
この構成によれば、車両用灯具には、車両の近傍から遠方に向かって並ぶ複数の配光領域に対応する複数の光源が設けられている。また、複数の光源の発光量は、発光量制御部によって制御される。したがって、路面上に形成された複数の配光領域ごとに路面上の照度を調整することができ、車両の近傍および遠方の路面の照度を均一に近づけることができる。
【０００８】
上述の車両用灯具において、前記発光量制御部は、複数の前記光源のうち前記車両の遠方側の配光領域を形成する前記光源の発光量を、前記車両の近傍側の配光領域を形成する前記光源の発光量よりも、高くする構成としてもよい。
【０００９】
この構成によれば、路面上に形成され複数の配光領域のうち車両の遠方側に位置する配光領域を照らす光源の発光量を高くして、描画内の照度を均一に近づけることができる。
【００１０】
上述の車両用灯具において、前記投影部は、前記画像を有する光を反射して前記路面に投影する反射面を有し、前記反射面は、投影方向後方側から投影方向前方側に向かうに従い徐々に曲率が大きくなる構成としてもよい。
【００１１】
この構成によれば、反射面が凸曲面であっても凹曲面であっても、車両遠方に向けて光を反射する領域に比べて、車両近傍に向けて光を反射する領域で光を反射し、反射面において光を反射する領域と結像面である路面において結像する領域との距離を短くして、結像した描画のピンボケを抑制できる。従って、画像を路面に鮮明に表示することが可能な車両用灯具を提供することが可能である。
【００１２】
上述の車両用灯具において、前記車両からの距離が互いに異なる領域に光を投影する複数の前記反射面と、複数の前記反射面のうちの何れか１つを選択して切り替える切替部と、を備える構成としてもよい。
【００１３】
この構成によれば、互いに距離が異なる領域に向けて反射する複数の反射面を、切替部により切替えるので、各反射面により路面の異なる距離に画像を鮮明に表示できる。そのため用途に応じて反射部を切替えることで、各用途に適した位置に画像を鮮明に表示することができる。
【００１４】
上述の車両用灯具において、複数の前記光源から出射された光を拡散する拡散板を備える構成としてもよい。
【００１５】
この構成によれば、複数の光源から出射された光が、拡散板に照射されるため、それぞれの光源に由来して形成される配光領域同士の境界を曖昧とすることができる。これにより、路面上の配光領域同士の間で照度の違いを目立ち難くすることができる。
【００１６】
また、一態様の路面描画システムは、上記の車両用灯具と、前記車両の前方の走行路を認識する走行路認識部と、を備え、前記車両用灯具は、前記走行路認識部の認識結果に基づき前記路面に前記走行路を強調する描画を行う。
【００１７】
この構成の路面描画システムによれば、走行路認識部における認識結果を基に、運転者の運転を補助する描画を行うことができる。
【発明の効果】
【００１８】
本発明によれば、光の利用効率の低下を抑止しつつ路面の照度を均一に近づける車両用灯具および路面描画システムを提供することができる。
【図面の簡単な説明】
【００１９】
【図１】一実施形態に係る車両用灯具の概略図である。
【図２】一実施形態の投影モジュールを示す模式図である。
【図３】一実施形態の光源ユニットの模式図である。
【図４Ａ】一実施形態に係る車両用灯具による描画の一例を示す図である。
【図４Ｂ】一実施形態に係る車両用灯具による描画の一例を示す図である。
【図４Ｃ】一実施形態に係る車両用灯具による描画の一例を示す図である。
【図５Ａ】一実施形態に係る車両用灯具による描画の一例を示す図である。
【図５Ｂ】一実施形態に係る車両用灯具による描画の一例を示す図である。
【図５Ｃ】一実施形態に係る車両用灯具による描画の一例を示す図である。
【図６】変形例１の反射装置の斜視図である。
【図７Ａ】変形例１の反射装置において近距離用反射部を用いて路面を照射した状態を示す図である。
【図７Ｂ】変形例１の反射装置において中距離用反射部を用いて路面を照射した状態を示す図である。
【図７Ｃ】変形例１の反射装置において遠距離用反射部を用いて路面を照射した状態を示す図である。
【図８】変形例２の車両用灯具の投影モジュールを示す模式図である。
【発明を実施するための形態】
【００２０】
以下、一実施形態である車両用灯具について図面を参照しながら説明する。
以下の説明で用いる図面は、特徴を分かり易くするために、便宜上特徴となる部分を拡大して示している場合があり、各構成要素の寸法比率などが実際と同じであるとは限らない。
【００２１】
図１は、一実施形態に係る車両用灯具１０の概略図である。本実施形態の車両用灯具１０は、画像を有する光を車両から路面に向けて斜めに照射する装置である。車両用灯具１０は、図１に示すように、車両の前方を照射する投影モジュール１１と、これを制御する制御ユニット１３と、を備えている。
【００２２】
また、車両用灯具１０は、前方の状況を検知して制御ユニット１３に伝達する撮像装置（走行路認識部）１５および車両の速度を検知する車速検知部１６が接続されて、路面描画システム１を構成する。すなわち、路面描画システム１は、車両用灯具１０と撮像装置１５と車速検知部１６と、を有する。路面描画システム１は、まず、車両の前方（例えば、バックミラーのフロントガラス側）に設けられた撮像装置１５において車両前方の画像を撮像するとともに、車速検知部１６において車両の速度を検知する。次いで、制御ユニット１３は、撮像装置１５により取得された画像情報を解析し車速検知部１６において取得された車両の速度の情報を基に投影モジュール１１を制御する。これにより、車両の前方の路面５７に描画５８を表示する。
【００２３】
図２は、本実施形態の投影モジュール１１を示す模式図である。
本実施形態の投影モジュール１１は、光源ユニット２０と、拡散板２４と、入射光学系２５と、画像生成部３１と、投影光学系（投影部）４１と、を備えている。
【００２４】
光源ユニット２０は、複数の光源２１が配列されてアレイ発光面を構成するアレイ光源である。すなわち、光源ユニット２０は、複数の光源２１を有する。光源２１は可視光を出射する。光源２１としては、発光ダイオード光源（ＬＥＤ、light emitting diode）又はレーザ光源を採用することができる。複数の光源２１は、発光量制御部５２によりそれぞれ個別にオン、オフ並びに発光量が制御される。すなわち、各光源２１の発光量は、発光量を最大とした１００％から完全に消灯した状態である０％までの間で調整することができる。光源２１は、発光量が０％の状態であるときにオフの状態であるとされる。
【００２５】
図３は、本実施形態の光源ユニット２０の模式図である。本実施形態の光源ユニット２０は、３つの光源２１と、光源用パッケージ部２２と、を有する。本実施形態において、３つの光源２１は、車両の上下方向（鉛直方向）に並べられている。また、３つの光源２１は、光源用パッケージ部２２に収められている。隣り合う光源２１同士の間には、わずかな隙間が設けられる。
【００２６】
本実施形態では、光源ユニット２０が３つの光源２１を有する場合について説明するが、光源ユニット２０が複数の光源２１を有していればその数は限定されない。また、本実施形態において、光源ユニット２０の複数の光源２１は上下方向に配列されているが、車両の幅方向と直交する方向に配列されていればよい。各光源２１をこのように配列することで、各光源２１からの出射された光によって路面上に形成される配光領域を、車両前後方向に並べて形成することができる。また、光源ユニットの変形例として、複数の光源を縦横に配列したアレイ光源を採用してもよい。この場合は、配列された光源のうち、一方向に並ぶ光源から照射された光が、投影された路面上で、車両前後方向に並ぶ。
【００２７】
上下方向に配列される３つの光源２１のうち、最も上側に位置するものを第１の光源２１Ａとし、最も下側に位置するものを第３の光源２１Ｃとし、第１の光源２１Ａと第３の光源２１Ｃとの間に位置する光源を第２の光源２１Ｂとする。図４Ａ〜図４Ｃを基に後段で説明するように、第１の光源２１Ａは、路面５７上の車両５５から最も遠い位置に配光領域（第１の配光領域５０Ａ）を形成する。第３の光源２１Ｃは、路面５７上の車両５５から最も近い位置に配光領域（第３の配光領域５０Ｃ）を形成する。また、第２の光源２１Ｂは、路面５７上の第１の光源２１Ａおよび第３の光源２１Ｃの間に配光領域（第２の配光領域５０Ｂ）を形成する。すなわち、車両の幅方向と直交する配列方向に沿って並ぶ複数の光源２１は、それぞれ路面上において車両の近傍側から遠方側に向かって並ぶ複数の配光領域を形成する。
【００２８】
拡散板２４は、光源ユニット２０と入射光学系２５との間に配置される。拡散板２４は、入射した光を拡散して透過させる。光源ユニット２０から出射され、拡散板２４を透過して光径が拡大した状態で入射光学系２５に入射する。
また、光源２１として白色光以外の光を照射するものを用いる場合には、拡散板２４として、光源２１から照射された光を受けて拡散性の白色光を照射する蛍光体板を用いてもよい。一例として、光源２１が青色光（紫外光の場合もある）を照射する場合、内部に蛍光体粒子を含む蛍光体板（拡散板２４）に入射した青色光は、蛍光体板を拡散しながら透過するとともに一部の光が蛍光体粒子によって波長変換させる。光源２１に起因する青色光と蛍光体粒子の励起により放出された黄色光は互いに混色し、結果として蛍光体板から拡散性の白色光が照射される。なお、蛍光体板は、内部に青色光を拡散させる拡散材が添加されていてもよい。
【００２９】
上述したように、光源ユニット２０において、隣接する光源２１同士の間には、わずかな隙間が設けられる（図３参照）。光源２１から照射された光が路面に投影されると、光源２１同士の隙間は、路面５７上の描画５８にダーク部を形成する要因となる場合がある。本実施形態によれば、光源ユニット２０と入射光学系２５との間に拡散板２４を配置することで、光源ユニット２０から照射された光を滲ませて入射光学系２５に入光させることができ、路面５７上の描画５８内にダーク部が形成されることを抑制出来る。
【００３０】
図２に示すように、入射光学系２５は、光源２１からの光を集光し画像生成部３１の反射制御面を照射する。入射光学系２５は、一又は複数のレンズなどからなる。
【００３１】
画像生成部３１は、光源２１から出射された光を変調して画像を生成する。本実施形態において、画像生成部３１は、反射型デジタル光偏向装置（ＤＭＤ、Digital Mirror Device）からなる。反射型デジタル光偏向装置からなる画像生成部３１は、傾倒可能な複数のミラー素子を配列して構成された反射制御面を有する。
【００３２】
画像生成部３１の複数のミラー素子は、それぞれ制御ユニット１３からの信号により傾倒角度を反射側又は遮光側に制御される。画像生成部３１は、反射側に傾倒された複数のミラー素子の反射光により、任意形状の反射パターン（画像）３９を生成する。図２に示す例では、画像生成部３１は、矢印形状の反射パターン３９を生成する。
なお、車両用灯具１０には、遮光側に傾倒した各ミラー素子からの光を遮光するための光遮光部材３２が設けられている。
【００３３】
投影光学系４１は、画像生成部３１において生成された反射パターン３９を描画５８として車両前方に照射し路面５７に投影する。投影光学系４１は、集光光学系４２と、折返しミラー４３と、反射装置４４と、を備えている。
【００３４】
集光光学系４２は、一又は複数のレンズなどからなる。集光光学系４２は、画像生成部３１で生成された反射パターン３９を、折返しミラー４３を介して反射装置４４の反射部４５に照射する。また、集光光学系４２は、画像生成部３１から出射された反射パターン３９を集光して中間像５９を結像する。
折返しミラー４３は、集光光学系４２からの光を反射部４５に向けて反射するミラーである。
【００３５】
反射装置４４は、反射部４５を有する。反射部４５は、集光光学系４２で集光された光を路面５７に向けて反射する。反射部４５は、拡大投影用の凹面リフレクターである。反射部４５は、反射面４５ａを有する。すなわち、投影光学系４１は、反射面４５ａを有する。反射部４５は、反射面４５ａにおいて集光光学系４２で集光された光を反射して路面５７の所定の領域に投影する。反射面４５ａは非球面の自由曲面からなる凹面形状である。
【００３６】
反射面４５ａは、集光光学系４２により形成された中間像５９の後段に配置されている。したがって、光は、反射面４５ａの前段側で結像し、拡散方向に広がりながら凹面形状の反射面４５ａに入射し、反射面４５ａによって反射されることで再び集光される。
なお、本明細書において、「前段」および「後段」とは、光の透過経路に沿った前後関係（すなわち、光路において上流側および下流側）を意味し、車両用灯具１０内の各部位の配置を意味するものではない。
【００３７】
反射面４５ａの投影方向前方側の領域４５ｂは、車両近傍側の路面５７に向けて光を反射する。また、反射面４５ａの投影方向後方側の領域４５ｃは、車両遠方側の路面５７に向けて光を反射する。反射面４５ａは、投影方向後方側の領域４５ｃから投影方向前方側の領域４５ｂに向かうに従い、投影対象（路面５７の車両近傍から車両遠方）との距離に応じて連続的に曲率を変化させて形成されている。すなわち、反射面４５ａは、投影方向後方側から投影方向前方側に向かうに従い徐々に曲率が大きくなる。これにより、車両遠方に向けて光を反射する投影方向後方側の領域４５ｃに比べて、車両近傍に向けて光を反射する投影方向前方側の領域４５ｂで光を反射し、反射面４５ａにおいて光を反射する領域と路面５７結像面である路面５７において結像する領域との距離を短くして、結像した描画５８のピンボケを抑制できる。
【００３８】
本実施形態によれば、描画５８としての画像を有する光を路面５７に向けて反射する反射部４５が、投影対象（路面の車両近傍から車両遠方）との距離に応じて連続的に曲率を変化させて形成されている。これにより、画像を路面５７に鮮明に表示することができ、ピンぼけの生じない高品質の描画５８の形成が可能となる。
【００３９】
次に、図４Ａ〜図４Ｃおよび図５Ａ〜図５Ｃを参照して、車両用灯具１０によって形成される描画５８について説明する。
図４Ａ〜図４Ｃおよび図５Ａ〜図５Ｃに示すように、車両用灯具１０を備えた路面描画システム１は、車両５５に搭載されて、車両５５から路面５７に向けて光を照射する。また、路面描画システム１は、車両５５の前方の路面５７に車両５５の走行路を強調する描画を行う。本実施形態において、路面描画システム１は、走行路を強調する描画５８として、車両５５の走行方向に延びる一対の棒状のレーンを描画する。一対の棒状のレーンは、互いに車両５５の車幅より若干広く配置されている。一対の棒状のレーンは、撮像装置１５により取得された走行路の変化に応じてカーブしたり配色が変わったりして、運転者の視認を補助する役割を果たす。
【００４０】
図４Ａ〜図４Ｃは、それぞれ第３の光源２１Ｃ、第２の光源２１Ｂおよび第１の光源２１Ａのみを発光させた場合に、路面５７に表示される描画５８の例を示す図である。車両５５の前方の路面５７には、車両５５に遠い領域から近い領域に向かって順に並ぶ第１の路面領域５７Ａ、第２の路面領域５７Ｂおよび第３の路面領域５７Ｃが設定される。第１〜第３の光源２１Ａ〜２１Ｃは、それぞれ路面５７上の第１〜第３の路面領域５７Ａ〜５７Ｃに第１〜第３の配光領域５０Ａ〜５０Ｃを形成する。路面描画システム１は、第１〜第３の光源２１Ａ〜２１Ｃの発光量を制御することで、描画５８の表示位置を第１〜第３の路面領域５７Ａ〜５７Ｃに描画５８を表示する。
【００４１】
図４Ａは、第３の光源２１Ｃを発光させ、第１の光源２１Ａおよび第２の光源２１Ｂを消灯させた場合の描画５８を示す図である。第１の光源２１Ａから照射された光は、画像生成部３１において反射されることで反射像を形成し、さらに路面５７上の第１の配光領域５０Ａ内において描画５８を形成する。
【００４２】
車両５５が比較的低速（例えば３０ｋｍ／時間）で走行する場合には、図４Ａに示すように第３の路面領域５７Ｃのみに描画５８を表示することが好ましい。これは、車両５５が低速で走行する場合、運転者の注意は車両５５の近傍に向くため、遠方の領域に描画を表示する必要性が低いためである。また、車両５５が低速で走行する場合には、車両５５の前方を走行する他の車両との車間距離が短いため、描画５８が、他の車両の運転者の操作を阻害する虞があるためである。本実施形態によれば、路面５７の車両５５近傍の領域（すなわち第３の路面領域５７Ｃ）のみに、描画５８を表示する場合に、他の領域（第１および第２の路面領域５７Ａ、５８Ｂ）を担う他の光源（第１および第２の光源２１Ａ、２１Ｂ）を消灯することができ、エネルギ効率の高い路面描画システム１を実現できる。
【００４３】
図４Ｂは、第２の光源２１Ｂを発光させ、第１の光源２１Ａおよび第３の光源２１Ｃを消灯させた場合の描画５８を示す図である。第２の光源２１Ｂから照射された光は、画像生成部３１において反射されることで反射像を形成し、さらに路面５７上の第２の配光領域５０Ｂ内において描画５８を形成する。
【００４４】
車両５５が中速（例えば６０ｋｍ／時間）で走行する場合には、図４Ｂに示すように路面５７の車両５５からある程度離れた領域（すなわち第２の路面領域５７Ｂ）のみに描画５８を表示することが好ましい。本実施形態によれば、第２の路面領域５７Ｂのみに、描画５８を表示する場合に、第１および第３の光源２１Ａ、２１Ｃを消灯することができ、エネルギ効率の高い路面描画システム１を実現できる。
【００４５】
図４Ｃは、第１の光源２１Ａを発光させ、第２の光源２１Ｂおよび第３の光源２１Ｃを消灯させた場合の描画５８を示す図である。第３の光源２１Ｃから照射された光は、画像生成部３１において反射されることで反射像を形成し、さらに路面５７上の第３の配光領域５０Ｃ内において描画５８を形成する。
【００４６】
車両５５が高速（例えば１００ｋｍ／時間）で走行する場合には、図４Ｃに示すように路面５７の車両５５から最も遠い領域（すなわち第１の路面領域５７Ａ）のみに描画５８を表示することが好ましい。これは、車両５５が高速で走行する場合、運転者の注意は車両５５の遠方に向くため、近傍の領域に描画を表示する必要性が低いためである。本実施形態によれば、第１の路面領域５７Ａのみに、描画５８を表示する場合に、第２および第３の光源２１Ｂ、２１Ｃを消灯することができ、エネルギ効率の高い路面描画システム１を実現できる。
【００４７】
図４Ａ〜図４Ｃに示すように、車両５５の速度が高まるに従い、描画５８の表示位置を変化させるとともに、車両５５の走行方向に沿う描画５８の表示長さを長くすることが好ましい。なお、車両５５の走行方向に沿う描画５８の表示長さは、画像生成部３１において形成する反射画像の形状を調整することで容易に変化させることができる。これにより、車両５５の速度が高まるに従い、車両５５の運転者から視認される描画５８の範囲を十分に広くすることができる。
なお、図４Ａ〜図４Ｃにおいて、車両５５の走行方向に沿う描画５８の表示長さは、模式的に表したものであって、実際の長さとは異なる。
【００４８】
路面描画システム１は、車両５５の一定の高さから路面に向けて斜めに光を照射するため、車両５５からの距離が離れるに従い路面に入射する光の光束密度が低下する。したがって、路面描画システム１から路面５７に均一な光を照射すると、路面５７上の描画５８の照度は、車両５５から離れた位置に表示する際に低下する。本実施形態において、第１〜第３の光源２１Ａ〜２１Ｃは、発光量制御部５２によりそれぞれ個別に発光量が制御される。より具体的には、第３の路面領域５７Ｃに光を照射する場合に、第３の光源２１Ｃの発光量を６０％とし、第２の路面領域５７Ｂに光を照射する場合に、第２の光源２１Ｂの発光量を８０％とし、第１の路面領域５７Ａに光を照射する場合に、第１の光源２１Ａの発光量を１００％とする。つまり各光源（第１〜第３の光源２１Ａ〜２１Ｃ）の発光量は、形成する配光領域（第１〜第３の配光領域５０Ａ〜５０Ｃ）の車両５５からの距離に応じて調整できる。これにより、光源２１を切り替えて描画５８の位置を変化させた場合でああっても、路面上における描画５８の明るさを一定に保つことが可能となる。また、本実施形態によれば、光源２１の発光量を調整することで、表示位置の変化に伴う描画５８の明るさを一定に保つ構成を採用することで、エネルギ効率の高い路面描画システム１を実現できる。
なお、画像生成部３１は、ミラー素子の傾斜による反射のオンとオフとを高速に駆動し、オンとオフのデューティ比を調整することができる。本実施形態において画像生成部３１のデューティ比を調整して、単一の配光領域内の照度を車両５５からの距離に応じて調整してもよい。この場合、調整されるデューティ比は、車両５５に近くなるに従い、ＯＦＦとする時間を長くする。
【００４９】
図５Ａは、描画５８を第１〜第３の路面領域５７Ａ〜５７Ｃに跨って表示させる場合の描画５８を示す図である。図５Ａにおいて、第１〜第３の光源２１Ａ〜２１Ｃが発光する。第１〜第３の光源２１Ａ〜２１Ｃから照射された光は、路面５７上の第１〜第３の配光領域５０Ａ〜５０Ｃ内において描画５８を形成する。図５Ａに示す状態において、第１の配光領域５０Ａに対応する第１の光源２１Ａの発光量は９０％とされ、第２の配光領域５０Ｂに対応する第２の光源２１Ｂの発光量は８０％とされ、第３の配光領域５０Ｃに対応する第３の光源２１Ｃの発光量は６０％とされる。
なお、各光源の発光量は、対応する路面領域において最も車両から遠い部分において十分な光源発光量を得られる発光量を基準として調整される。
【００５０】
図５Ｂは、描画５８を第１および第２の路面領域５７Ａ、５７Ｂに跨って表示させる場合の描画５８を示す図である。図５Ｂにおいて、第１および第２の光源２１Ａ、２１Ｂが発光する。第１および第２の光源２１Ａ、２１Ｂから照射された光は、路面５７上の第１および第２の配光領域５０Ａ、５０Ｂ内において描画５８を形成する。図５Ｂに示す状態において、第１の配光領域５０Ａに対応する第１の光源２１Ａの発光量は１００％とされ、第２の配光領域５０Ｂに対応する第２の光源２１Ｂの発光量は８０％とされ、第３の配光領域５０Ｃに対応する第３の光源２１Ｃは消灯される。
【００５１】
図５Ｃは、描画５８を第２および第３の路面領域５７Ｂ、５７Ｃに跨って表示させる場合の描画５８を示す図である。図５Ｃにおいて、第２および第３の光源２１Ｂ、２１Ｃが発光する。第２および第３の光源２１Ｂ、２１Ｃから照射された光は、路面５７上の第２および第３の配光領域５０Ｂ、５０Ｃ内において描画５８を形成する。図５Ｃに示す状態において、第１の配光領域５０Ａに対応する第１の光源２１Ａは消灯され、第２の配光領域５０Ｂに対応する第２の光源２１Ｂの発光量は７０％とされ、第３の配光領域５０Ｃに対応する第３の光源２１Ｃの発光量は６０％とされる。
【００５２】
本実施形態によれば、図５Ａ〜図５Ｃに示すように、形成する配光領域（第１〜第３の配光領域５０Ａ〜５０Ｃ）の車両５５からの距離に応じて、各光源（第１〜第３の光源２１Ａ〜２１Ｃ）の発光量を調整することで、複数の路面領域に跨って延びる描画５８内の路面上の照度の均一性を高めることができる。
【００５３】
本実施形態において画像生成部３１のデューティ比を調整して、隣り合う一対の配光領域に跨る描画５８において、発光量を高めた側（すなわち、遠方側）の配光領域の境界近傍の明るさを調整してもよい。この場合には、一対の配光領域同士の境界近傍において、路面５７上の照度の差分を低減し、自然な描画５８を実現してもよい。
【００５４】
図１に戻って、路面描画システム１の構成について説明する。
撮像装置１５は、車両前方を撮像して処理することで、車両前方の走行路を認識する走行路認識部として機能する。車速検知部１６は、車両の速度を検知する。車速検知部１６は、車両から直接的に車速情報を取得する構成とすることができる。撮像装置１５および車速検知部１６が取得した走行路および車速の情報は、電気信号として制御ユニット１３の制御部５１に伝達される。
【００５５】
制御ユニット１３は、各種の画像の制御情報などが予め設定されたメモリ５３と、メモリ５３、撮像装置１５および車速検知部１６からの電気信号に基づいて制御信号を生成する制御部５１と、制御信号に基づいて画像生成部３１を駆動する駆動部５４と、複数の光源２１の発光量を個別に変更する発光量制御部５２と、を有している。制御ユニット１３は、画像生成部３１のミラー素子の傾倒態様を制御する処理を実行することにより画像を生成する。また、制御ユニット１３は、車速検知部１６において取得された車両５５の速度の情報を基に路面５７に描画５８を表示させる位置を決定し、発光量制御部５２により複数の光源２１の発光量を調整する。
【００５６】
（まとめ）
本実施形態によれば、車両用灯具１０には、車両５５の近傍から遠方に向かって並ぶ複数の配光領域（第１〜第３の配光領域５０Ａ〜５０Ｃ）に対応する複数の光源２１が設けられている。また、複数の光源２１の発光量は、発光量制御部５２によって制御される。したがって、路面５７上に形成された複数の配光領域ごとに路面５７上の照度を調整することができ、車両５５の近傍および遠方の路面５７の照度を均一に近づけることができる。より具体的には、発光量制御部５２は、複数の光源２１のうち車両５５の遠方側の配光領域を形成する光源２１の発光量を、車両５５の近傍側の配光領域を形成する光源２１の発光量よりも高くする、制御を行うことが好ましい。これにより、路面５７上に形成され複数の配光領域のうち車両５５の遠方側に位置する配光領域を照らす光源２１の発光量を高くして、描画５８内の照度を均一に近づけることができる。
【００５７】
本実施形態によれば、投影光学系４１の反射面４５ａは、投影方向後方側から投影方向前方側に向かうに従い徐々に曲率が大きくなる構成を有する。これにより、上述したように、画像のピンボケを抑制でき、画像を路面に鮮明に表示することが可能な車両用灯具を提供できる。
【００５８】
本実施形態の路面描画システム１によれば、車両用灯具１０と、車両の前方の走行路を認識する撮像装置１５と、を備える。路面描画システム１は、撮像装置１５により取得された認識結果に基づき、車両用灯具１０に路面５７に走行路を強調する描画を行わせる。これにより、路面描画システム１は、運転者の運転を補助して安全性を高めることができる。
【００５９】
（変形例１）
次に、図６を基に、上述の反射装置４４に代えて採用可能な変形例の反射装置１４４について説明する。なお、なお、上述の実施形態と同一態様の構成要素については、同一符号を付し、その説明を省略する。
【００６０】
図６に示すように、本変形例の反射装置１４４は、複数（本実施形態では３つ）の反射部１４５と、切替部１４６と、を有する。反射部１４５は、集光光学系４２で集光された光を路面５７に向けて反射する。切替部１４６は、軸部１４６ａと、軸部１４６ａを軸中心に回転駆動する駆動部１４６ｂと、を有する。軸部１４６ａには、軸部１４６ａの軸中心に対して周方向に沿って等間隔に複数の反射部１４５が固定されている。切替部１４６は、駆動部１４６ｂによる軸部１４６ａの回転に伴い、複数の反射部１４５のうちの１つを集光光学系４２からの照射された光を受光する受光位置に切替えて配置させる。
【００６１】
反射装置１４４は、近距離用反射部１４５Ｘと、中距離用反射部１４５Ｙと、遠距離用反射部１４５Ｚとを有している。各反射部１４５Ｘ、１４５Ｙ、１４５Ｚの反射面１４５ａは、互いに距離が異なる路面５７上の領域に向けて反射するように設定されている。近距離用反射部１４５Ｘと中距離用反射部１４５Ｙと遠距離用反射部１４５Ｚとの各反射面１４５ａは、反射光を照射する距離が近いものほど、平均の曲率が大きい曲面に形成されている。近距離用反射部１４５Ｘを用いて路面５７に描画５８を表示した状態を図７Ａに示し、中距離用反射部１４５Ｙを用いて路面５７に描画５８を表示した状態を図７Ｂに示し、遠距離用反射部１４５Ｚを用いて路面５７に描画５８を表示した状態を図７Ｃに示す。図７Ａ〜図７Ｃに示すように、それぞれの反射部１４５Ｘ、１４５Ｙ、１４５Ｚにより照射できる路面５７上の領域は、互いに異なる。また、それぞれの反射部１４５Ｘ、１４５Ｙ、１４５Ｚにより照射できる路面５７上の領域は、それぞれ第１〜第３の光源２１Ａ〜２１Ｃに対応する第１〜第３の路面領域５７Ａ〜５７Ｃに区画される。
【００６２】
本変形例によれば、互いに距離が異なる領域に向けて反射する複数の反射部１４５を、切替部１４６により切替えて受光位置に配置できる。用途に応じて反射部１４５を切替えることで、各用途に適した位置に画像を鮮明に表示する車両用灯具１０を提供できる。また遠距離に反射光を照射した際、光が拡散して照度が低下することを防止できる。
【００６３】
また、本変形例は、上述の実施形態と同様の効果を奏することができる。すなわち、路面５７上で区画される複数の路面領域（第１〜第３の路面領域５７Ａ〜５７Ｃ）において対応する光源の出力を調整して、車両５５の近傍および遠方の路面５７の照度を均一に近づけることができる。また上述の実施形態と同様に、画像生成部３１のデューティ比を調整して、配光領域内の照度を車両５５からの距離に応じて調整してもよい。
【００６４】
（変形例２）
図８は変形例２の車両用灯具２１０の投影モジュール２１１を示す模式図である。なお、上述の実施形態と同一態様の構成要素については、同一符号を付し、その説明を省略する。
本変形例の車両用灯具２１０は、反射部２４５を有する反射装置２４４を備える。反射部２４５は、凸面形状の反射面２４５ａを有する。反射面２４５ａは、集光光学系４２により形成された中間像２５９の前段に配置されている。したがって、光は、集光しながら凸面形状の反射面２４５ａに入射し、反射面２４５ａによって反射面と結像面との距離が調整されて前方に反射される。
【００６５】
凸面形状の反射面２４５ａは、投影方向後方側から投影方向前方側に向かうに従い徐々に曲率が大きくなる。
反射面２４５ａの投影方向前方側の領域２４５ｂは、車両遠方側の路面５７に向けて光を反射する。また、反射面２４５ａの投影方向後方側の領域２４５ｃは、車両近傍側の路面５７に向けて光を反射する。反射面２４５ａは、投影方向後方側の領域２４５ｃから投影方向前方側の領域２４５ｂに向かうに従い、投影対象（路面５７の車両近傍から車両遠方）との距離に応じて連続的に曲率を変化させて形成されている。すなわち、反射面２４５ａは、投影方向後方側から投影方向前方側に向かうに従い徐々に曲率が大きくなる。これにより、車両遠方に向けて光を反射する投影方向前方側の領域２４５ｂに比べて、車両近傍に向けて光を反射する投影方向後方側の領域２４５ｃで光を反射し、反射面２４５ａにおいて光を反射する領域と結像面である路面５７において結像する領域との距離を短くして、結像した描画５８のピンボケを抑制できる。
【００６６】
以上に、本発明の実施形態およびその変形例を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されない。
例えば、車両用灯具１０はヘッドライトと別に設けてもよく、ヘッドライトに組込んでもよい。また、上述の実施形態において、画像生成部３１として反射型デジタル光偏向装置を用いた例について説明したが、画像生成部は液晶等の透過型の空間変調器、スキャニングミラーと蛍光体を組み合わせた描画装置などであってもよい。
【符号の説明】
【００６７】
１…路面描画システム、１０，２１０…車両用灯具、１５…撮像装置（走行路認識部）、２１，２１Ａ，２１Ｂ，２１Ｃ…光源、２４…拡散板、３１…画像生成部、３９…反射パターン（画像）、４１…投影光学系（投影部）、４５ａ，１４５ａ，２４５ａ…反射面、５５…車両、５２…発光量制御部、５８…描画、５７…路面、１４６…切替部
【図１】
2018192837.tif 000003
【図２】
2018192837.tif 000004
【図３】
2018192837.tif 000005
【図４Ａ】
2018192837.tif 000006
【図４Ｂ】
2018192837.tif 000007
【図４Ｃ】
2018192837.tif 000008
【図５Ａ】
2018192837.tif 000009
【図５Ｂ】
2018192837.tif 000010
【図５Ｃ】
2018192837.tif 000011
【図６】
2018192837.tif 000012
【図７Ａ】
2018192837.tif 000013
【図７Ｂ】
2018192837.tif 000014
【図７Ｃ】
2018192837.tif 000015
【図８】
2018192837.tif 000016